(57)【要約】【課題】猿等のジャンプ力のある獣にも効力のある防獣ネットを提供する。【解決手段】支柱10に補助支柱11を連結し、前記補助支柱11は略逆Ｌ字形状を有し、その横方向部分11yの先端部が前記支柱10に連結し、その縦方向部分11tの他端の基端部は地中に埋設され、これらに網地12を張設して、その中間部に棚部15を形成する。補助支柱11の縦方向部分11t、補助支柱11の横方向部分11y及び支柱10の補助支柱11との連結部の上方部分のそれぞれに裸電線20, 21, 22を複数本配線し、補助支柱11の縦方向部分11t及び支柱10の補助支柱11との連結部の上方部分10uに配線した裸電線20, 22に電流を供給する。網地12が合成繊維製の網状体からなり、支柱10が合成樹脂製のものからなり、補助支柱11が金属製のものからなり、この補助支柱11の縦方向部分11tを絶縁する。【選択図】図１
0003214218.tif 000002
【実用新案登録請求の範囲】
【請求項１】
害獣等の侵入を阻止できる網地を設置面から上方向に張設するための複数の支持部材と、これらの支持部材に張設される網地と、この網地の適宜高さ位置の横方向に配設される複数本の裸電線とから成り、前記裸電線に電流を供給して害獣等の侵入を阻止できる防獣ネットにおいて、
前記それぞれの支持部材には、その中間部に棚部を形成するための棚部形成部が設けられ、
これら複数の支持部材を列設して網地を張設することによって前記棚部形成部の部分に網地による棚部が形成され、
前記棚部形成部と、棚部形成部の上方部分と、棚部形成部の下方部分にはそれぞれ裸電線を横方向に複数本配線し、
前記棚部形成部の上方部分と下方部分に配線した裸電線に電流を供給することを特徴とする防獣ネット。
【請求項２】
前記棚部形成部に張設する網地の代わりに導電性を有する金属製板材又は金網を配設し、前記棚部形成部に配線する裸電線の配線を省略したことを特徴とする請求項１に記載の防獣ネット。
【請求項３】
前記それぞれの支持部材が支柱と補助支柱とから成り、
前記支柱は１本の杭状のものから成り、前記補助支柱は略逆Ｌ字形状を有し、その横方向部分の先端部が前記支柱に連結し、その縦方向部分の他端の基端部は地中に埋設され、
前記補助支柱の横方向部分が前記棚部形成部となることを特徴とする請求項１又は２に記載の防獣ネット。
【請求項４】
前記網地が合成繊維製の網状体のものからなり、前記支柱が木製又は合成樹脂製のものからなり、前記補助支柱が導電性を有する金属製のものからなり、この補助支柱の縦方向部分が絶縁されていることを特徴とする請求項３に記載の防獣ネット。
【請求項５】
前記網地の一部分を金属線によって編み上げ、網地の少なくとも一部分に金属線から形成された金属製網地エリアを設け、
この金属製網地エリアが、当該防獣ネットを設置した際に、その最下端から上方約５０ｃｍの範囲内にあることを特徴とする請求項１乃至４の何れか１項に記載の防獣ネット。
【考案の詳細な説明】
【技術分野】
【０００１】
本考案は、猿、鹿、猪、イタチ等々の獣から畑等で栽培する作物や家畜を守るため、その侵入を阻止するために使用する電気式防獣ネットの改良に関するものである。
【背景技術】
【０００２】
従来から鳥害や獣害防止のためのネットとしては各種のものが存在している。
合成樹脂製拠り糸から編網したもの、合成樹脂製単一繊維から編み上げたもの、或いは金網から形成された金属フェンス等が既に知られている。
更に、イノシシ等の防獣用のものとして特別に開発された下記特許文献に記載されたものもあるが、これらは、何れも合成樹脂製繊維に細径のステンレス線を撚り合わせた撚り糸からなる網糸を製作し、この金属線が混入された網糸を使用して網地を編成し、強度を高めたものであった。
【０００３】
特許文献１に記載のネットは、上記撚り糸に加えて、ネットの張りロープの挿通部を強化して耐久性を高めたものである。
特許文献２に記載のネットにおいては、上記撚り糸を効率よく成形することを特徴とするものである。
特許文献３に記載のネットにおいても、前記同様に撚り糸の製造をより限定したものである。
特許文献４に記載のネットにおいては、フェンス張り式のもので、網目の大きさを上方部分と下方部分とで異ならせたものである。
【０００４】
特許文献５に記載の「猿侵入防止用電気柵」は、電気ショックを与えて害獣の侵入を阻止するものであるが、待機衝撃電流として消費される電力の無駄を無くすことができる電気柵を提供することを課題とする。
その構成は、防護帯（金属製ネット）を下方に設置し、その上方に複数本の裸電線を張設し、これらの裸電線に衝撃電圧発生器からの衝撃電流を流す方式の猿の侵入を防止するための猿侵入防止用電気柵であって、防護帯の振動を電気的に検出する振動検出手段を設けたものである。
また、振動検出手段からの振動検出電気信号により、衝撃電圧発生器から裸電線へ流す衝撃電流を制御する手段を設けたものである。
【先行技術文献】
【特許文献】
【０００５】
【特許文献１】特開２００９−２２２４０号公報
【特許文献２】特開２０００−１０６８１０号公報
【特許文献３】実開平７−３４６８０号公報
【特許文献４】実開平７−１４８８２号公報
【特許文献５】特開２００４−６３号公報
【考案の概要】
【考案が解決しようとする課題】
【０００６】
本願考案においては、上記特許文献５に記載の電気式防獣柵又はネットの改良に関するものであり、より重量が軽く、より設置容易なものであって、取り分けジャンプ力のある猿に対しても忌避効果の高い電気式防獣ネットを提供することをその課題としている。
そこで、本願考案においては、取り扱いの容易な合成樹脂製繊維から編網された網地を使用してその重さを低減させて取り扱い易くしたのであるが、反面、電気ショックを有効に与えるためのアース方法がその課題となるのである。
【０００７】
鹿や猪等の場合には、地面に足を付けた状態で防獣ネットに触れることとなり、当該防獣ネットに配線され、通電された裸電線に触れることにより獣の体内を電気が流れ、電気ショックを与えることができる。
しかし、猿の場合には、そのジャンプ力があるために、地面に足を付けた状態でなく、防獣ネットの上方部分に飛び付くことができるために、アースが不十分となり、有効に電気ショックを与えることが不十分な場合が生じるのである。
【０００８】
そこで、本考案においては、猿等のジャンプ力のある獣であっても、防獣ネットの上方部分に飛び着いた場合であっても有効に電気ショックを与えることができるものを提供することをその課題としている。
その他、猿以外の獣に対してもより強度の高い、有効な侵入防止効果を発揮できる形態を付加することも本考案の課題となる。  
【課題を解決するための手段】
【０００９】
上記課題を解決するために、本考案の第１のものは、害獣等の侵入を阻止できる網地を設置面から上方向に張設するための複数の支持部材と、これらの支持部材に張設される網地と、この網地の適宜高さ位置の横方向に配設される複数本の裸電線とから成り、前記裸電線に電流を供給して害獣等の侵入を阻止できる防獣ネットにおいて、前記それぞれの支持部材には、その中間部に棚部を形成するための棚部形成部が設けられ、これら複数の支持部材を列設して網地を張設することによって前記棚部形成部の部分に網地による棚部が形成され、前記棚部形成部と、棚部形成部の上方部分と、棚部形成部の下方部分にはそれぞれ裸電線を横方向に複数本配線し、前記棚部形成部の上方部分と下方部分に配線した裸電線に電流を供給することを特徴とする防獣ネットである。
【００１０】
本考案の第２のものは、上記第１の考案において、前記棚部形成部に張設する網地の代わりに導電性を有する金属製板材又は金網を配設し、前記棚部形成部に配線する裸電線の配線を省略したことを特徴とする防獣ネットである。
【００１１】
本考案の第３のものは、上記第１又は第２の考案において、前記それぞれの支持部材が支柱と補助支柱とから成り、前記支柱は１本の杭状のものから成り、前記補助支柱は略逆Ｌ字形状を有し、その横方向部分の先端部が前記支柱に連結し、その縦方向部分の他端の基端部は地中に埋設され、前記補助支柱の横方向部分が前記棚部形成部となることを特徴とする防獣ネットである。
【００１２】
本考案の第４のものは、上記第３の考案において、前記網地が合成繊維製の網状体のものからなり、前記支柱が木製又は合成樹脂製のものからなり、前記補助支柱が導電性を有する金属製のものからなり、この補助支柱の縦方向部分が絶縁されていることを特徴とする防獣ネットである。
【００１３】
本考案の第５のものは、上記第１乃至第４の考案において、前記網地の一部分を金属線によって編み上げ、網地の少なくとも一部分に金属線から形成された金属製網地エリアを設け、この金属製網地エリアが、当該防獣ネットを設置した際に、その最下端から上方約５０ｃｍの範囲内にあることを特徴とする防獣ネットである。
【考案の効果】
【００１４】
本考案の第１のものにあっては、複数の支持部材と、これらの支持部材に張設される網地と、この網地の適宜高さ位置の横方向に配設される複数本の裸電線とから成る防獣ネットであって、それぞれの支持部材には、その中間部に棚部を形成するための棚部形成部が設けられているために、列設された支持部材に網地を張設することにより、前記棚部形成部の部分に網地による棚部が形成される。
【００１５】
そして、前記棚部形成部と、棚部形成部の上方部分と、棚部形成部の下方部分にはそれぞれ裸電線を横方向に複数本配線し、且つ、前記棚部形成部の上方部分と下方部分に配線した裸電線に電流を供給する。
つまり、棚部形成部に配線する複数の裸電線には通電をせずに、この裸電線にはアースの役目を担わせるのである。
【００１６】
これにより、鹿や猪等の四足獣が、支持部材の下方部分に張設された網地部分に触れると、この部分に配線された複数の通電された裸電線から体内を通じて地面まで適切に電流が流れることとなり、つまりアースが成され、感電することとなる。
【００１７】
他方、ジャンプ力のある猿が本考案に係る防獣ネットの上方部分に飛び着くと、その中間部に設けられた棚部に乗ることとなり、棚部には複数の裸電線が配線され、且つ、その棚部の上方部分の支持部材に配設された網地には通電された裸電線が複数本配線されていることから、当該猿の手から体内を通じて足部の裸電線に適切に電流が流れ、アースが適切に行われ、感電することとなる。この電気ショックを受け、当該猿は防獣ネットから退避することとなるのである。
【００１８】
本考案の第２のものにあっては、前記棚部形成部に張設する網地の形態を更に変更したものであり、前記棚部形成部に張設する網地の代わりに導電性を有する金属製板材又は金網を配設し、前記棚部形成部に配線する裸電線の配線を省略したものである。
即ち、棚部形成部に配線する裸電線の代わりに、導電性を有する金属製板材や金網を配設することによっても本考案の効果を発揮させることができるのである。
【００１９】
本考案の第３のものにあっては、前記支持部材をより限定したものである。
即ち、この支持部材は、支柱と補助支柱とから成り、前記支柱は１本の杭状のものから成り、前記補助支柱は略逆Ｌ字形状を有し、その横方向部分の先端部が前記支柱に連結し、その縦方向部分の他端の基端部は地中に埋設され、前記補助支柱の横方向部分が前記棚部形成部となるものである。
【００２０】
このように、支持部材は、支柱と略逆Ｌ字形状の補助支柱とから形成することができるのであるが、その実施態様は種々考えられ、上記のように２つのパーツから構成することも、或いは、補助支柱の横方向部分と縦方向部分を別体に形成して組み付ける態様とすることもできるし、補助支柱の横方向部分を支柱と一体的に形成することもできるし、その全体を一体的なものとして製造することもでき、その構成は自由に設計変更することができるものである。
【００２１】
本考案の第４のものは、上記第３の考案に係る構成部材の素材又は材質等を限定したものである。
即ち、前記網地が合成繊維製の網状体のものからなり、前記支柱が木製又は合成樹脂製のものからなり、前記補助支柱が導電性を有する金属製のものからなり、この補助支柱の縦方向部分が絶縁されていることを特定したものである。
【００２２】
本考案の第５のものは、本考案に係る防獣ネットの地上付近の強度を高めるために特定したものであり、前記網地の一部分を金属線によって編み上げ、網地の少なくとも一部分に金属線から形成された金属製網地エリアを設け、この金属製網地エリアが、当該防獣ネットを設置した際に、その最下端から上方約５０ｃｍの範囲内にあることを特定したものである。
【図面の簡単な説明】
【００２３】
【図１】本考案の防獣ネットに係る一実施形態を示し、その（Ａ）が全体説明図、その（Ｂ）が補助支柱の説明図、その（Ｃ）が断面説明図を示す。
【考案を実施するための形態】
【００２４】
以下、添付の図面と共に本考案の一実施形態について説明する。
図１は、本考案の防獣ネットの一実施形態を示し、その（Ａ）が全体説明図、その（Ｂ）が補助支柱の説明図、その（Ｃ）が断面説明図を示す。
【００２５】
本考案に係る防獣ネットは、複数本の支柱１０と、この支柱１０に連結できる略逆Ｌ字形状の補助支柱１１と、これらに張設する網地１２と、上記補助支柱１１の縦方向部分１１ｔに配線される裸電線２０、２０と、上記補助支柱１１の横方向部分１１ｙに配線される裸電線２１、２１と、上記支柱１０の補助支柱１１との連結部から上の上方部分１０ｕに配線される裸電線２２、２２とから成る。
【００２６】
本考案においては、上記支柱１０と補助支柱１１が、網地１２を設置面から上方向に張設することができる支持部材となる。
即ち、支持部材となる上記支柱１０と補助支柱１１の構成は、一例であって、支持部材の構成はこれ以外に種々設計変更することができるものである。
【００２７】
従って、支持部材は、上記の通り、支柱１０と補助支柱１１のツーピースから構成するのではなく、支柱と、補助支柱の横方向部分と、補助支柱の縦方向部分との３つの部材から形成することもできるし、支柱と補助支柱の横方向部分を一体的に形成し、補助支柱の縦方向部分との２つの部材から形成することもできる。
更には、上記各部分を一つの部材として一体的に形成することもできる。
このように、本考案に係る支持部材の構成は各種の態様に設計変更することができるものである。
【００２８】
支柱１０は、合成樹脂製の棒状体又は管状体から成り、非導電性である。
補助支柱１１は、金属製の棒状体又は管状体からなり、導電性であって、その横方向部分１１ｙの先端部は、上記支柱１０と連結できる連結部１１ｒが設けられている。
この補助支柱１１の横方向部分１１ｙが棚部形成部となる。
【００２９】
網地１２は、合成樹脂製繊維から編成された網状体のものから成り、非導電性のものである。
網地１２は、例えば、これを編成する合成樹脂製繊維として、ナイロン、ポリエステル或いはポリエチレン等の合成樹脂製のモノフィラメント或いは撚り糸を使用し、その太さも約０．２ｍｍ乃至０．６ｍｍ程度のものを使用することができる。
【００３０】
また、編み上げ方法もラッセル網のものを採用することができ、目合の大きさも防御対象動物に合せて決定することができる。
網目の形状も角目網目の他、菱目網目でもよい。
このように、本考案では、網地１２として合成樹脂製のものを使用しているために、その重量を軽くすることができる。
【００３１】
上記補助支柱１１は、上記した通り、側面視略逆Ｌ字形状を有しており、その縦方向部分１１ｔの外周には合成樹脂製の絶縁体が被覆されている。
この絶縁体は、絶縁塗料を塗布したものであってもよい。
横方向部分１１ｙの先端部には上記支柱１０と連結できる連結部１１ｒが設けられている。
【００３２】
この連結部１１ｒは、単なる環状部であってもよいし、略Ｕ字形状の嵌合部から形成されたものであってもよい、
この連結部１１ｒを上記支柱１０に連結し固定できる形態のものであればよい。
【００３３】
このようにして、補助支柱１１を支柱１０の中間部に連結し、これに上記網地１２を張設することにより、網地１２は、その中間部に段部が形成され、この段部が棚部１５を形成する。つまり、上記補助支柱１１の横方向部分１１ｙが棚部形成部となる。
【００３４】
侵入を阻止する動物の中には猿等も含まれており、猿はジャンプ力もあるために、防獣ネットの上方部分に飛び着くことができる。
つまり、防獣ネットの下方部分のみに電流を流した裸電線を配線しても効果がないのである。
【００３５】
このようなジャンプ力のある動物の侵入を阻止するために、上記棚部１５を設けたのである。
即ち、このようなジャンプ力のある動物に対して、その足場として棚部１５を支柱の中間部に設けたのである。
【００３６】
ここで、補助支柱１１の縦方向部分１１ｔと横方向部分１１ｙによって形成される棚部１５は、所望により適宜高さに設定することができ、その前後方向の幅（前記横方向部分１１ｙの長さ）も適宜必要に応じて設定できる。
また、支柱の１０の長さ（高さ）も適宜必要に応じて設定する。
【００３７】
また、上記した通り、裸電線２２、２２は、支柱１０の補助支柱１１との接続部の上方部分１０ｕに掛け渡すように横方向に配線されており、この裸電線２２には電源部からの電流を供給する。
【００３８】
裸電線２１、２１は、補助支柱１１の横方向部分１１ｙの部分に掛け渡されるように横方向に配線され、これらの裸電線２１には通電を行わず、補助支柱１１を伝ってアースされることとなる。
【００３９】
裸電線２０、２０は、補助支柱１１の縦方向部分１１ｔの部分に掛け渡されるように横方向に配線され、これらの裸電線２０にも電源部からの電流を供給する
これにより、猪や鹿等の四足動物が上記防獣ネットの下方部分に接触すると、裸電線２０から動物の体を介して地上にアースされ、電流が流れて感電し、電気ショックを受け、当該獣は退避することとなる。
【００４０】
他方、猿等のジャンプ力のある動物の場合には、上記防獣ネットの上方部分に飛び着くこととなるが、上記した通り、当該防獣ネットの中間部分には、棚部１５が設けられているために、当該猿はこの棚部１５上に乗ることとなる。
【００４１】
そして、当該猿は、その手を網地１２の上方部分を把持して裸電線２２に接触し、その足は棚部１５に配線されている裸電線２１に接触する。
裸電線２２には電流が流れており、裸電線２１は通電されていないために、裸電線２２から当該猿の身体を介して裸電線２１へと電流が流れて補助支柱１１を介して適切にアースされ、当該猿は感電して本考案に係る防獣ネットから退避行動を取ることとなるのである。
【００４２】
網地１２は、上記した通り、合成樹脂製繊維から編成されたものを使用しているが、その下端部分の所定範囲に細い金属線、例えば線径０．２ｍｍ乃至０．５ｍｍ程度のステンレス線を網地１２に編み込むこともできる。
【００４３】
このステンレス製網地は、網地１２の下方部分であって、本考案に係る防獣ネットを設置した際の地際部から上方に３０ｃｍ乃至５０ｃｍ程度の範囲内に設けることが好ましい。
これにより鼠等のげっ歯類や、猪等からの侵入を防止すべく、その部分の網目の強度を向上させることができることとなる。
【００４４】
この防獣ネットを設置する際には、例えば保護すべき畑の回りに所定間隔で補助支柱１１が連結された支柱１０を、即ち、支持部材を打ち込み、これに網地１２を張設して棚部１５を形成する。
その後、裸電線２０、２１、２２を配線し、裸電線２０、２２を電源部と接続すれば容易に本考案に係る防獣ネットが完成するのである。
【００４５】
網地１２の下端部分の一部は、地中に埋設させることが極めて望ましく、その下端部は堅固に固定し、土砂を被覆しておくことが望ましい。
支柱１０及び補助支柱１１の各部分に配線する裸電線２０、２１、２２は、それぞれ３本以上であってもよい。
【００４６】
以上、一実施形態について説明したが、本考案にあっては以下の通り種々設計変更が可能である。
まず、本考案に係る防獣ネットの高さ及び横方向のサイズは全く自由に設定できる。設置する保護エリアの広さ及び形状に合致させて設定すればよい。
【００４７】
支柱の材質は、合成樹脂製でなく、金属製であってもよいが、裸電線２２との配線の関係で絶縁を考慮する必要がある。或いは、木材製の杭であってもよい。
補助支柱の縦方向部分の表面には絶縁体を被覆しているが、少なくとも裸電線２０が配設される部分のみが絶縁されていればよい。
【００４８】
更に、上記実施形態における支柱１０は、１本の支柱でなく、例えば２本の支柱を連結して１本の支柱とすることも容易に可能である。このようにすることにより運搬が容易となるからである。
これらの２本の支柱を連結して１本の支柱１０とする場合、支柱の上方部分（補助支柱１１の連結部１１ｒと連結する部位から上の上方部分）を構成する支柱上方構成部を金属製とし、その下方部分を構成する支柱下方構成部を合成樹脂製としてもよい。或いは、その逆に支柱上方構成部を合成樹脂製とし、その支柱下方構成部を金属製としてもよい。
【００４９】
棚部の幅、即ち補助支柱の横方向部分の長さに関しても全く自由に設計変更することができる。
要するに、猿等の足場となりうる幅があればよいのである。
【００５０】
金属製網地エリアを設ける位置も、適宜必要に応じて決定することができるが、猪等の獣害から有効に作物を保護するためには、防獣ネットを立設した状態で、その最下端から上方に５０ｃｍ程度の範囲内に設けることが極めて好ましい。
【００５１】
最後に、上記網地としては、そのすべてを合成樹脂製繊維から編成するのではなく、その棚部のみ前記網地に代えて、導電性を有する金網や金属製板材を配設することもできる。
即ち、支持部材の棚部形成部（補助支柱の横方向部分）の上に導電性の金属板を載置することもできるし、この部分に導電性の金網を配設することもできる。
【００５２】
これにより、導電性の裸電線を配線する必要がなくなるのである。
更には、上記実施形態のように、支持部材に合成樹脂製網地を張設し、支持部材の棚部形成部上に導電性金属板を載置することもできるのである。
このように、本考案にあっては、支持部材の構成及び網地の構成は種々設計変更することができるものである。
【００５３】
以上、本考案は、簡易な手段によりその中間部に棚部を設け、ジャンプ力のある猿等にも有効に電気ショックを与えて忌避できる防獣ネットを提供することができた。
【符号の説明】
【００５４】
１０  支柱
１０ｕ  上方部分（支柱の）
１１  補助支柱
１１ｔ  縦方向部分（補助支柱の）
１１ｒ  連結部（補助支柱の）
１１ｙ  横方向部分（補助支柱の）
１２  網地
１５  棚部
２０、２１、２２  裸電線
【図１】
0003214218.tif 000003